(57)【要約】【課題】カバーがヒンジ機構によって回動自在に配設された濾過装置において、カバーの全開時にカバーの全開状態を維持するためのストッパー機構を設け、ストッパー機能を解除するためのストッパー解除機構を配設することを課題とする。【解決手段】ケースフランジ１４にケースブラケット２０が固定されるとともにカバー１５にカバーブラケット２１が固定されている。ケースブラケット側壁２３の挿通穴２４及びカバーブラケット側壁２５の挿通穴２６にピン２７が挿通されている。カバー１５の全開時にカバー１５の全開状態を維持するためのストッパー機構（係合穴３２にストッパー部材３９の係合突部４０が係合）が配設され、かつストッパー機能を解除するためのストッパー解除機構（ストッパー部材３９のノブ４１）が配設されている。【選択図】        図２
2005058816.tif 000002
【特許請求の範囲】
【請求項１】
本体ケース内にフィルターエレメントが配設され、本体ケースの上方部にフィルターエレメントの内側に連通する液入口が形成され、本体ケースの下方部にフィルターエレメントの外側に連通する液出口が形成され、ケース本体の上端に環状のケースフランジが固定され、ケースフランジの開放端を塞ぐためのカバーがヒンジ機構によって回動自在に配設された濾過装置において、ケースフランジにケースブラケットが固定されるとともにカバーにカバーブラケットが固定され、ケースブラケット側壁の挿通穴及びカバーブラケット側壁の挿通穴にピンが挿通され、カバーの全開時にカバーの全開状態を維持するためのストッパー機構が配設され、かつストッパー機能を解除するためのストッパー解除機構が配設されたことを特徴とする濾過装置。
【請求項２】
ケースブラケットには底壁及び両側壁が形成され、カバーブラケットには上壁、湾曲した当接壁及び両側壁が形成され、カバーブラケットの当接壁に係合穴が形成され、ケースブラケットの底壁に底壁挿通孔が形成され、ケースブラケットの底壁に保持部材が固定され、保持部材の底部の保持壁に保持壁挿通孔が形成され、底壁挿通孔及び保持壁挿通孔にストッパー部材が挿通され、ストッパー部材の上端に係合突部が形成されるとともにストッパー部材の下端にストッパー解除ノブが固定され、前記係合突部と前記保持壁との間にスプリングが装着され、スプリングの付勢力によって前記係合突部が前記当接壁に押圧され、カバーの全開時に前記係合突部が前記係合穴に係合される請求項１の濾過装置。
【請求項３】
ケースブラケットには底壁及び両側壁が形成され、カバーブラケットには上壁及び両側壁が形成され、ケースブラケットの両側壁に縦長係合穴が形成されるとともにカバーブラケットには湾曲係合溝穴が形成され、前記縦長係合穴及び前記湾曲係合溝穴にストッパー棒の真直挿通部が挿通され、ストッパー棒の連結部がケースブラケットの底壁の真下に延び、ストッパー棒の連結部の先端にストッパー解除ノブが連結された請求項１の濾過装置。
【発明の詳細な説明】
【０００１】
【発明の属する技術分野】
本発明は、例えば自動車部品の洗浄ラインに配置される液体用の濾過装置に関する。
【０００２】
【従来の技術】
本体ケース内にフィルターエレメントが配設され、本体ケースの上方部にフィルターエレメントの内側に連通する液入口が形成され、本体ケースの下方部にフィルターエレメントの外側に連通する液出口が形成され、ケース本体の上端に環状のケースフランジが固定され、ケースフランジの開放端を塞ぐためのカバーがヒンジ機構によって回動自在に配設された濾過装置が従来から知られている。タイプはやや異なるが、カバーがヒンジ機構によって回動自在に配設された濾過装置の特許文献１として、下記の特許文献が存在する  。
【特許文献１】実用新案登録第３０８２７６７号
【０００３】
従来の濾過装置は、カバーを全開状態（約１００度開いて停止した状態）のとき、カバーに外力が作用してカバーが閉鎖され、閉鎖動作時に作業員の指がカバーとフランジとの間に挟持される危険があり、安心して作業をすることができなかった。
【０００４】
【発明が解決しようとする課題】
本発明は、カバーがヒンジ機構によって回動自在に配設された濾過装置において、カバーの全開時にカバーの全開状態を維持するために、ストッパー機構及びストッパー機能を解除するためのストッパー解除機構を配設することを課題とする。
【０００５】
【課題を解決するための手段】
本発明は、前記課題を達成するために、本体ケース内にフィルターエレメントが配設され、本体ケースの上方部にフィルターエレメントの内側に連通する液入口が形成され、本体ケースの下方部にフィルターエレメントの外側に連通する液出口が形成され、ケース本体の上端に環状のケースフランジが固定され、ケースフランジの開放端を塞ぐためのカバーがヒンジ機構によって回動自在に配設された濾過装置において、
ケースフランジにケースブラケットが固定されるとともにカバーにカバーブラケットが固定され、ケースブラケット側壁の挿通孔及びカバーブラケット側壁の挿通孔にピンが挿通され、カバーの全開時にカバーの全開状態を維持するためのストッパー機構が配設され、かつストッパー機能を解除するためのストッパー解除ノブが配設されたことを第１構成とする。
本発明は、第１構成において、ケースブラケットには底壁及び両側壁が形成され、カバーブラケットには上壁、湾曲した当接壁及び両側壁が形成され、カバーブラケットの当接壁に係合穴が形成され、ケースブラケットの底壁に底壁挿通孔が形成され、ケースブラケットの底壁に保持部材が形成され、保持部材の底部の保持壁に保持壁挿通孔が形成され、底壁挿通孔及び保持壁挿通孔にストッパー部材が挿通され、ストッパー部材の上端に係合突部が形成されるとともにストッパー部材の下端にストッパー解除ノブが固定され、前記係合突部と前記保持壁との間にスプリングが装着され、スプリングの付勢力によって前記係合突部が前記当接壁に押圧され、カバーの全開時に前記係合突部が前記係合穴に係合されることを第２構成とする。
本発明は、第１構成において、ケースブラケットには底壁及び両側壁が形成され、カバーブラケットには上壁及び両側壁が形成され、ケースブラケットの両側壁に縦長係合穴が形成されるとともにカバーブラケットには湾曲係合溝穴が形成され、前記縦長係合穴及び前記湾曲係合溝穴にストッパー棒の真直挿通部が挿通され、ストッパー棒の連結部がケースブラケットの底壁の真下に延び、ストッパー棒の連結部の先端にストッパー解除ノブが連結されたことを第３構成とする。
【０００６】
【発明の実施の形態】
図１，図２は本発明の濾過装置の実施の形態第１を示す。図１（ａ），（ｂ）  に示されるように、本体ケース１０内にフィルターエレメント１１が配設され、フィルターエレメント１１の内側に連通する液入口１２が、本体ケース１０の上方部に形成され、フィルターエレメント１１の外側に連通する液出口１３が、本体ケース１０の下方部に形成されている。本体ケース１０の上端に環状のケースフランジ１４が固定され、ケースフランジ１４の開口を塞ぐためのカバー１５がヒンジ機構１６によって回動自在に配設されている。本体ケース１０は支柱１７によって支持され、本体ケース１０の側壁にはドレン１８が形成され、本体ケース１０の下端には液抜口１９が形成されている。
【０００７】
図１，図２に示されているように、ケースフランジ１４にケースブラケット２０が固定されるとともに、カバー１５にカバーブラケット２１が固定されている。ケースブラケット２０には底壁２９及び両側壁２３が形成され、カバーブラケット２１には上壁３０、湾曲した当接壁３１及び両側壁２５が形成されている。カバー１５が閉じた状態を示す図２（ａ）  において、カバーブラケット２１の当接壁３１は、上壁３０の右端から下方へ延び、下方部から左方へ湾曲しながら延びており、下方へ伸びる略垂直の壁に係合穴３２が形成されている。そして、図２（ｂ）  に示されているように、    ケースブラケット２０の両側壁２３の間隔は、カバーブラケット２１の両側壁２５の間隔よりも大きく、カバーブラケット２１の両側壁２５はケースブラケット２０の両側壁２３の内側に位置している。なお、ケースブラケット２０及びカバーブラケット２１は、金属板を折曲することにより形成することができる。
【０００８】
ケースブラケット２０の両側壁２３の上方へ突出した部分の略中央部に挿通穴２４が形成され、カバーブラケット２１の両側壁２５の下方へ突出した部分の略中央部に挿通穴２６が形成されている。ケースブラケット２０の両側壁２３の挿通穴２４及びカバーブラケット２１の両側壁２５の挿通穴２６にピン２７が挿通され、ピン２７の両端部に抜け止め用のプッシュナット２８が固定され、こうしてヒンジ機構１６が構成されている。図２（ｂ）  に明示されているように、ケースブラケット２０の底壁２９の下面に保持部材３５の両フランジ部が固定され、この両フランジ部の内端から下方へ間隔壁が延び、両間隔壁の下端を接続する水平な（保持部材３５の底部の）保持壁３６が形成されている。ケースブラケット２０の底壁２９に底壁挿通孔３４が形成され、保持壁３６に保持壁挿通孔３７が形成され、底壁挿通孔３４と保持壁挿通孔３７とは同一軸線上に位置している。保持壁挿通孔３７の下面に案内筒３８が固定され、保持壁挿通孔３７と案内筒３８の内孔とは同一径であり、同一軸線上に位置している。
【０００９】
底壁挿通孔３４、保持壁挿通孔３７及び案内筒３８の内孔にストッパー部材３９が挿通され、ストッパー部材３９の上端に係合突部４０が形成されるとともにストッパー部材３９の下端にストッパー解除ノブ４１が固定されている。係合突部４０下面と保持壁３６の上面との間に不図示のスプリングが装着されており、スプリングの付勢力によって係合突部４０が当接壁３１の表面に向かって押圧されている。図２（ａ），（ｂ）  に示すカバー１５の全閉位置では、係合突部４０は当接壁３１の壁面に当接しているが、カバー１５を約１００度回動させて、全開位置に移動させると、当接壁３１の係合穴３２が係合突部４０の対向位置に移動する。すると、スプリングの付勢力によって係合突部４０が上方へ動いて係合突部４０が係合穴３２に嵌合し、係合突部４０と係合穴３２とが係合する。なお、挿通穴２４，２６  の形状は縦方向にやや長くなっているため、ピン２７と挿通穴２４，２６  との間に隙間があり、この隙間により係合穴３２の位置が微調整され、係合突部４０が係合穴３２に嵌合し易くなっている。
【００１０】
係合突部４０と係合穴３２との係合により、カバー１５が全開位置に維持され、カバー１５に外力が作用してもカバー１５は閉じることがない。作業員はカバー１５が閉鎖位置へ移動することによる事故に巻き込まれる心配がなく、安心してメンテナンスなどの作業を続けることができる。作業が終了してカバー１５を閉じたいときは、ストッパー解除ノブ４１をスプリングの付勢力に抗して下方へ移動させ、ストッパー部材３９の係合突部４０をカバーブラケット２１の当接壁３１の係合穴３２から抜き出し、係合突部４０と係合穴３２との係合状態を解除する。係合状態が解除された状態のとき、カバー１５を全閉位置へ移動させることができる。
【００１１】
図３（ａ），（ｂ）  は本発明の濾過装置の実施の形態第２を示す。図３の説明において、図１，図２と同一の部材には図１，図２と同一の符号を付す。ケースフランジ１４にケースブラケット２０が固定されるとともに、カバー１５にカバーブラケット２１が固定されている。ケースブラケット２０には底壁２９及び両側壁２３が形成され、カバーブラケット２１には上壁３０及び両側壁２５が形成されている。実施の形態第１と同様に、ケースブラケット２０の両側壁２３の間隔は、カバーブラケット２１の両側壁２５の間隔よりも大きく、カバーブラケット２１の両側壁２５はケースブラケット２０の両側壁２３の内側に位置している。図３（ａ）  では、ケースブラケット２０の側壁２３が実線で示され（実線の円弧の下側部分）、カバーブラケット２１の側壁２５がケースブラケット２０の側壁２３の向こう側に、一部点線の円弧で示されている。ケースブラケット２０の両側壁２３の挿通穴２４及びカバーブラケット２１の両側壁２５の挿通穴２６にピン２７が挿通され、ピン２７の両端部に抜け止め用のプッシュナット２８が固定され、こうしてヒンジ機構１６が構成されている。
【００１２】
ケースブラケット２０の両側壁２３に貫通した縦長係合穴４３が形成され、カバーブラケット２１の両側壁２５に貫通した湾曲係合溝穴４４が形成されている。図３（ａ）  の正面視で、湾曲係合溝穴４４の大部分は所定幅の円弧部分であるが、湾曲係合溝穴４４の右端部は円弧部分よりも半径方向の外側に曲がった形状のストッパー部分が形成されている。縦長係合穴４３及び湾曲係合溝穴４４に、ストッパー棒４７の真直挿通部が挿通されている。ストッパー棒４７は、図３（ｂ）  に示されるように、左右の縦長係合穴４３の間の真直挿通部は真直であるが、連結部（真直挿通部以外の部分）は、右側の縦長係合穴４３から少し右へ延びた部分から、真下に延び、更に左側へ延びて、ケースブラケット２０の左右方向の中央部分の真下の部分から真下へ向かって延びている。ストッパー棒４７の下端（連結部の先端）にはストッパー解除ノブ４９が固定されている。
【００１３】
カバー１５が全閉位置にあるときは、図３に示されているように、ストッパー棒４７は湾曲係合溝穴４４の左端部位置（初期位置）で縦長係合穴４３の上端位置に位置している。カバー１５を回動させて開き始めると、ストッパー棒４７は湾曲係合溝穴４４の初期位置よりも右方の位置と係合する。そして、カバー１５を約１００度回動させて全開位置へ移動すると、ストッパー棒４７は湾曲係合溝穴４４の右端のストッパー部分４６と係合し、ストッパー棒４７は縦長係合穴４３の下方部分に位置する。ストッパー棒４７がストッパー部分４６と係合したとき、湾曲係合溝穴４４のストッパー部分４６は円弧部分よりも半径方向の外側に位置しているので、カバー１５に外力を作用させて、カバー１５を閉じようとしても、ストッパー棒４７がストッパー部分４６の壁面に妨げられて、円弧部分へは入ることができない。従って、カバー１５は全開位置に維持され、カバー１５に外力が作用してもカバー１５は閉じることがない。作業員はカバー１５が閉鎖位置へ移動することによる事故に巻き込まれる心配がなく、安心してメンテナンスなどの作業を続けることができる。
【００１４】
作業が終了してカバー１５を閉じたいときは、ストッパー棒４７とストッパー部分４６との摩擦抵抗に抗してストッパー解除ノブ４９を上方へ移動させ、ストッパー棒４７を湾曲係合溝穴４４の円弧部分へ移動させる。ストッパー棒４７を湾曲係合溝穴４４の円弧部分へ移動させることにより、ストッパー棒４７とストッパー部分４６との係合が解除され、係合状態が解除された状態のとき、カバー１５を全閉位置へ移動させることができる。
【００１５】
【発明の効果】
本発明においては、ケースフランジにケースブラケットが固定されるとともにカバーにカバーブラケットが固定され、ケースブラケット側壁の挿通孔及びカバーブラケット側壁の挿通孔にピンが挿通され、カバーの全開時にカバーの全開状態を維持するためのストッパー機構が配設され、かつストッパー機能を解除するためのストッパー解除機構が配設されている。ストッパー機構によってカバーの全開時にカバーの全開状態を維持することができ、ストッパー解除機構によってストッパー機能を解除することができる。
【図面の簡単な説明】
【図１】図１（ａ）  は本発明の濾過装置の実施の形態第１の正面図であり、図１（ｂ）  は図１（ａ）  の上面図である。
【図２】図２（ａ）  は図１（ａ）  のヒンジ機構を示す要部拡大図であり、図２（ｂ）  は図２（ａ）  の側面図である。
【図３】図３（ａ）  は本発明の濾過装置の実施の形態第２の正面図の要部拡大図であり、図３（ｂ）  は図３（ａ）  の側面図である。
【符号の説明】
１０  本体ケース
１１  フィルターエレメント
１２  液入口
１３  液出口
１４  ケースフランジ
１５  カバー
２０  ケースブラケット
２１  カバーブラケット
２４  挿通穴
２６  挿通穴
２７  ピン
【図１】
2005058816.tif 000003
【図２】
2005058816.tif 000004
【図３】
2005058816.tif 000005